(57)【特許請求の範囲】
【請求項１】
商品を選択する商品選択手段と、選択された商品の決済が完了した旨を受信した場合に当該商品を搬出する商品搬出手段とを備えた自動販売機本体と、自動販売機本体に設けられたアンテナと、商品選択手段から商品が選択された場合に自動販売機本体から当該商品の選択情報が送信され、その後、電子マネーが記録された記憶媒体が前記アンテナにかざされた場合に、当該記憶媒体に記録された電子マネーによる商品の決済を開始したことを示す決済状態、商品の決済が完了した場合に決済結果を自動販売機本体に送信する一方、商品の決済が中断された場合に決済が未了である旨を自動販売機本体に送信する決済端末とを備え、決済が未了である旨を自動販売機本体が受信した場合に自動販売機本体が取引を中断するとともに予め定めた時間内に決済が完了しない場合には、取引キャンセルを受信して販売待機状態となる自動販売機において、前記自動販売機は、前記決済端末から決済が未了であることを受信した状態で貨幣が投入された場合には、投入された貨幣を保留し、前記決済端末からの決済を優先することを特徴とする自動販売機。
【請求項２】
商品を選択する商品選択手段と、選択された商品の決済が完了した旨を受信した場合に当該商品を搬出する商品搬出手段とを備えた自動販売機本体と、自動販売機本体に設けられたアンテナと、商品選択手段から商品が選択された場合に自動販売機本体から当該商品の選択情報が送信され、その後、電子マネーが記録された記憶媒体が前記アンテナにかざされた場合に、当該記憶媒体に記録された電子マネーによる商品の決済を開始したことを示す決済状態、商品の決済が完了した場合に決済結果を自動販売機本体に送信する一方、商品の決済が中断された場合に決済が未了である旨を自動販売機本体に送信する決済端末とを備え、決済が未了である旨を自動販売機本体が受信した場合に自動販売機本体が取引を中断するとともに予め定めた時間内に決済が完了しない場合には、取引キャンセルを受信して販売待機状態となる自動販売機において、商品先選択後、アンテナへ記憶媒体がかざされると、ほぼ同時に貨幣が投入されると、投入された貨幣を保留し、前記記憶媒体による決済を継続することを特徴とする自動販売機。
【請求項３】
請求項１または２に記載の自動販売機において、前記記憶媒体による決済が完了した時点で、保留されている貨幣を返却することを特徴とする自動販売機。
【請求項４】
請求項１または２に記載の自動販売機において、前記決済端末から決済が未了であることを受信した状態で、前記予め定めた時間が経過すると、保留されている貨幣を返却することを特徴とする自動販売機。
【請求項５】
請求項１または２に記載の自動販売機において、前記決済端末から決済が未了であることを受信した状態で、前記予め定めた時間が経過すると、保留されている貨幣による販売モードに移行することを特徴とする自動販売機。
【請求項６】
請求項５に記載の自動販売機において、前記保留されている貨幣が選択された商品の販売価格以上の場合には前記商品搬出出段を駆動して商品を搬出し、前記保留されている貨幣が選択された商品の販売価格未満の場合には、貨幣入金待ち状態とすることを特徴とする自動販売機。
【請求項７】
請求項１または２に記載の自動販売機において、前記記憶媒体による決済が完了した時点で、保留されている貨幣による販売モードに移行することを特徴とする自動販売機。
【請求項８】
請求項１ないし７のいずれか１項に記載の自動販売機において、前記貨幣保留中でかつ前記予め定めた時間が経過するまでは、貨幣返却用の返却レバーの操作を無効とすることを特徴とする自動販売機。
【発明の詳細な説明】
【技術分野】
【０００１】
本発明は、非接触ＩＣカードや携帯電話等の記憶媒体に搭載した非接触ＩＣチップに記録された電子マネーにより商品を購入できるようにした自動販売機に関する。
【背景技術】
【０００２】
記憶媒体に搭載した非接触ＩＣチップに記録された電子マネーにより商品を購入できるようにした自動販売機は、周知となっている自動販売機に決済端末を備えたものであって、記憶媒体との間で決済が完了し、自動販売機本体が決済端末から決済が完了した旨を受信した場合に、自動販売機本体が商品を搬出するようになっている。そして、決済端末と記憶媒体との間における決済処理の途中で記憶媒体が決済端末の通信圏から外れた場合等のように通信が中断された場合には決済未了となるが、自動販売機本体において商品選択から商品選択が無効となるまでの時間内であれば、記憶媒体をかざす等することにより、決済処理を再開できるようになっている。そして、自動販売機本体が決済端末から決済処理を再開したことを知らせる決済処理状態を受信した場合には、自動販売機本体はその他の商品の選択を禁止し、商品選択された状態を維持するようになっている（例えば、特許文献１参照）。
【先行技術文献】
【特許文献】
【０００３】
【特許文献１】特開２００７−１６４２３４号公報
【発明の概要】
【発明が解決しようとする課題】
【０００４】
ところで、上記自動販売機は、通信が中断された場合には決済未了となるが、自動販売機本体が決済端末から決済処理を再開したことを知らせる決済処理状態を受信した場合には、先に選択された商品が搬出されるが、この決済未了発生時に、記憶媒体が利用不可と勘違いし、仮にこの決済未了時に貨幣が投入された場合について考慮されておらず、利用者の混乱を招く虞がある。
【０００５】
また、貨幣の投入については、記憶媒体のかざし行為と略同時に行われた場合についても、どちらから決済されるのかが分かりづらく、利用者の混乱を招く虞がある。
【０００６】
本発明は、上記実情に鑑みて、記憶媒体利用時に混乱を招くことのない自動販売機を提供することを目的とする。
【課題を解決するための手段】
【０００７】
上記の目的を達成するために、商品を選択する商品選択手段と、選択された商品の決済が完了した旨を受信した場合に当該商品を搬出する商品搬出手段とを備えた自動販売機本体と、自動販売機本体に設けられたアンテナと、商品選択手段から商品が選択された場合に自動販売機本体から当該商品の選択情報が送信され、その後、電子マネーが記録された記憶媒体が前記アンテナにかざされた場合に、当該記憶媒体に記録された電子マネーによる商品の決済を開始したことを示す決済状態、商品の決済が完了した場合に決済結果を自動販売機本体に送信する一方、商品の決済が中断された場合に決済が未了である旨を自動販売機本体に送信する決済端末とを備え、決済が未了である旨を自動販売機本体が受信した場合に自動販売機本体が取引を中断するとともに予め定めた時間内に決済が完了しない場合には、取引キャンセルを受信して販売待機状態となる自動販売機において、前記自動販売機は、前記決済端末から決済が未了であることを受信した状態で貨幣が投入された場合には、投入された貨幣を保留し、前記決済端末からの決済を優先することを特徴とする。
【０００８】
また、本発明に係る自動販売機は、商品先選択後、前記アンテナへ記憶媒体がかざされると、ほぼ同時に貨幣が投入されると、投入された貨幣を保留し、前記記憶媒体による決済を継続することを特徴とする。
【０００９】
また、本発明に係る自動販売機は、上記発明において、前記記憶媒体による決済が完了した時点で、保留されている貨幣を返却することを特徴とする。
【００１０】
また、本発明に係る自動販売機は、上記発明において、前記決済端末から決済が未了であることを受信した状態で、前記予め定めた時間が経過すると、保留されている貨幣を返却することを特徴とする。
【００１１】
また、本発明に係る自動販売機は、上記発明において、前記決済端末から決済が未了であることを受信した状態で、前記予め定めた時間が経過すると、保留されている貨幣による販売モードに移行することを特徴とし、前記保留されている貨幣が選択された商品の販売価格以上の場合には前記商品搬出出段を駆動して商品を搬出し、前記保留されている貨幣が選択された商品の販売価格未満の場合には、貨幣入金待ち状態とすることを特徴とする。
【００１２】
また、本発明に係る自動販売機は、上記発明において、前記記憶媒体による決済が完了した時点で、保留されている貨幣による販売モードに移行することを特徴とする。
【００１３】
また、本発明に係る自動販売機は、上記発明において、前記貨幣保留中でかつ前記予め定めた時間が経過するまでは、貨幣返却用の返却レバーの操作を無効とすることを特徴とする。
【発明の効果】
【００１４】
本発明に係る自動販売機は、商品先選択後、記憶媒体との決済未了時に硬貨が投入された場合には、投入された貨幣を保留し、決済端末からの決済を優先することにより、記憶媒体利用時の硬貨投入による利用者の混乱を招くことはないという効果が得られる。
【００１５】
また、記憶媒体による決済完了後あるいは取引キャンセル後、その状態に応じ、自動販売機は、保留されている貨幣について自動返却あるいは現金販売へと移行するようにしたため、記憶媒体との処理後であっても、貨幣投入による利用者の混乱を招くことはないという効果が得られる。
【図面の簡単な説明】
【００１６】
【図１】本発明の実施の形態である自動販売機の正面図である。
【図２】図１に示した自動販売機の制御系を模式的に示すブロック図である。
【図３】実施の形態１に示す自動販売機の制御の概略を示すフローチャート図である。
【図４】実施の形態２に示す自動販売機の制御の概略を示すフローチャート図である。
【図５】実施の形態３に示す自動販売機の制御の概略を示すシーケンス図である。
【発明を実施するための形態】
【００１７】
以下に添付図面を参照して、本発明に係る自動販売機の好適な実施の形態を詳細に説明する。なお、この実施の形態によりこの発明が限定されるものではない。
【００１８】
図１は実施の形態である自動販売機の正面図、図２は図１に示した自動販売機の制御系を模式的に示すブロック図、図３，図４は自動販売機の制御の概略を示すフローチャート図、図５は自動販売機の制御の概略を示すシーケンス図である。
【００１９】
図１の自動販売機は、非接触ＩＣカードや携帯電話等の記憶媒体に搭載した非接触ＩＣチップにチャージした電子マネーにより商品を購入できるようにしたものであって、自動販売機本体１に決済端末２（図２参照）を備えたものである。
ここで例示する自動販売機本体１は、例えば缶入り飲料やペットボトル入り飲料等の商品を販売するためのものである。
【００２０】
自動販売機本体１は、前面が開口した直方体状の断熱筐体として形成されたものである。この内部には、図示しないが、複数の独立した商品収容庫が左右に並設してある。これら商品収容庫は、缶入り飲料やペットボトル入り飲料等の商品を所望の温度に維持した状態で収容するためのものである。商品収容庫には、商品収納ラック、搬出機構及び搬出シュータが設けてある。商品収納ラックは、商品を上下方向に沿って並ぶ態様で収納するためのものである。搬出機構は、商品収納ラックの下部に設けてあり、この商品収納ラックに収納された商品群の最下位にある商品を１つずつ搬出するためのものである。搬出シュータは、搬出機構から搬出された商品を商品取出口１９に導くためのものである。
【００２１】
上記自動販売機本体１の一側縁部に設けたヒンジ等により図示しない内扉及び外扉１１がそれぞれ開閉可能となる態様で設けてある。内扉は、商品収容庫の前面を覆うに十分な大きさを有した断熱扉である。
【００２２】
外扉１１は、自動販売機本体１の前面開口を覆うに十分な大きさを有したものであり、自動販売機本体１の前面開口を閉成する場合には、自動販売機本体１の前面を構成するものである。この外扉１１には、その前面側に商品見本展示室１２、商品選択ボタン１３、硬貨投入口１４、紙幣挿入口１５、デジタル表示器１６、返却レバー１７、硬貨返却口１８、商品取出口１９、決済端末２のアンテナ部２２（アンテナ）が設けてある。
【００２３】
商品見本展示室１２は、透明パネルを介して販売する商品の商品見本１２ａが視認可能となっている。
【００２４】
商品選択ボタン１３は、利用者が購入商品を選択するための押ボタンスイッチであり、商品見本展示室１２を通じて視認される商品見本１２ａに対応して設けてある。
【００２５】
硬貨投入口１４は、利用者が硬貨を投入するための開口で、紙幣挿入口１５は、利用者が紙幣を挿入するための開口である。
【００２６】
デジタル表示器１６は、貨幣の投入金額、販売中であるか否か、釣銭があるか否か等、各種情報を利用者に表示するための表示器である。
【００２７】
返却レバー１７は、利用者が投入した硬貨、紙幣を返却させるためのレバーである。
【００２８】
硬貨返却口１８は、後述する硬貨識別装置１４ａにおいて識別できなかった硬貨、あるいは釣銭となる硬貨を利用者に返却するための開口である。
【００２９】
商品取出口１９は、自動販売機本体１の内部から払い出された商品を利用者が受け取るための開口である。
【００３０】
アンテナ部２２は、利用者が所定のアクセス領域（通信可能領域）に電子マネーがチャージされたＩＣカードあるいは携帯電話等の記憶媒体４（図２参照）をかざすためのものである。
【００３１】
次に、図２の本発明の実施の形態である自動販売機の制御系を模式的に示すブロック図について説明すると、自販機主制御部１０は、記憶部１０ａに記憶されたプログラム、記憶部１０ｂに記憶されたデータにしたがって自動販売機の全体を統括して制御するものである。
【００３２】
この自販機主制御部１０には、商品の搬出装置３０及び冷熱装置４０など制御する本体制御部２０、硬貨投入口１４から投入された硬貨を識別する硬貨識別装置１４ａ、紙幣挿入口１５から挿入された紙幣を識別する紙幣識別装置１５ａ、各種設定・確認操作を行うリモコン５０、商品選択ボタン１３、各種情報表示を行うデジタル表示器１６、決済端末２が接続されている。
【００３３】
決済端末２は、決済制御部２１、アンテナ部２２、通信端末２３からなり、アンテナ部２２、通信端末２３は、決済制御部２１に接続され、アンテナ部２２にかざされた非接触ＩＣカードあるいは携帯電話等の記憶媒体４にチャージされた電子マネーにより商品の決済が可能となっている。
【００３４】
決済制御部２１は、記憶部２１ａに記憶されたプログラムや記憶部２１ｂに記憶されたデータにしたがって決済端末２の動作を統括的に制御するものであり、また、記憶媒体４がかざされるまでの経過時間を計測するタイマ２１ｃを備えている。
【００３５】
この決済制御部２１は、通信端末２３を介して電子マネー管理サーバ３と開局、閉局、締め管理に関する処理を行うものであり、開局処理にて、電子マネーによる決済が使用可能となるものである。
【００３６】
アンテナ部２２は、所定のアクセス領域（通信可能領域）に電子マネーがチャージされた記憶媒体４がかざされた場合に、記憶媒体４の情報の読み書きが可能になるものである。
【００３７】
記憶媒体４は、非接触ＩＣカードあるいは携帯電話等の記憶媒体に金銭的価値をデータとしてストア（チャージ）するタイプの電子マネーであり、それを支払いに利用するものである。
【００３８】
なお、上記タイプの電子マネーのほか、クレジットカードや銀行口座と連携し、利用した金額が一般的に月単位で引き落とされる後払いタイプにも適用できる。
【００３９】
また、決済制御部２１は、自販機主制御部１０から商品の決済情報が送信され、その後、電子マネーがチャージされた記憶媒体４がアンテナ部２２にかざされた場合に記憶媒体４との間で決済を開始するようになっており、決済は、検出処理、認証処理、読込処理、決済処理から構成され、決済処理が完了した場合には、アンテナ部２２から決済制御部２１に決済が完了した旨が送信され、決済制御部２１は自販機主制御部１０に決済が完了した旨の決済結果を送信するようになっている。一方、決済途中において、記憶媒体４がアンテナ部２２のアクセス領域から外れた場合等には、アンテナ部２２が決済処理を中断し、アンテナ部２２から決済制御部２１に決済が未了である旨が送信され、決済制御部２１は自販機主制御部１０に決済が未了である旨送信するようになっている。
【００４０】
自販機主制御部１０は、決済未了の場合、決済制御部２１から予め設定されている決済再処理時間であるリトライタイムが経過して取引キャンセルを受信するまで、あるいは決済が完了した決済結果の情報を受信するまで選択した商品を保持するようになっている。
【００４１】
なお、自動販売機においても、商品先選択であるため、商品選択状態が有効のままとならないように商品が選択されてから一定時間経過すると、商品選択がキャンセルとなる。
【００４２】
このような構成において、図３，図４のフローチャート図、図５のシーケンス図を用いて、処理を説明する。
（実施の形態１）
図３のフローチャート図において、利用者が商品選択ボタン１３を操作して商品を選択すると（ステップＳ３０１）、自販機主制御部１０は決済制御部２１に商品選択情報を送信する（ステップＳ３０２）。
【００４３】
次に、アンテナ部２２に記憶媒体４がかざされると（ステップＳ３０３）、記憶媒体４の検出、認証、読込、決済を順次行うが、決済制御部２１は、この決済中であることを示す決済状態を自販機主制御部に送信する（ステップＳ３０４）。
【００４４】
次に、アンテナ部２２に記憶媒体４がかざされたが、決済処理に至ることなく決済が中断すると（ステップＳ３０５，Ｙｅｓ）、決済制御部２１は自販機主制御部１０に決済が未了である未了信号を送信する（ステップＳ３０６）。
【００４５】
この決済未了時点で、利用者が硬貨投入口１４に硬貨を投入すると（ステップＳ３０７）、自販機主制御部１０は、記憶媒体４による決済が開始されているため、投入された硬貨を硬貨識別装置１４ａ内に一旦保留する（ステップＳ３０８）。
【００４６】
一方、決済制御部２１は、決済処理に至ることなく決済が中断すると、上記未了信号を送信するとともに、タイマ２１ｃをスタートさせて計時を開始する（ステップＳ３０９）。このタイマ２１ｃによる計時が予め設定されている決済再処理時間が経過するまでは、決済端末２のアンテナ部２２にて記憶媒体４が再度かざされるのを待機している状態となる。
【００４７】
次に、予め設定されている決済再処理時間が経過するまでに（ステップＳ３０９，Ｎｏ）、アンテナ部２２に記憶媒体４が再度かざされ（ステップＳ３１０，Ｙｅｓ）、決済処理を再開して決済が完了すると（ステップＳ３１１，Ｙｅｓ）、決済制御部２１は自販機主制御部１０に決済結果通知を送信する（ステップＳ３１２）。
【００４８】
この決済結果通知を受信した自販機主制御部１０は、本体制御部２０に選択された商品の搬出指令を送信し、本体制御部２０は搬出装置３０を駆動して商品を商品取出口１９に搬出するとともに（ステップＳ３１３）、硬貨識別装置１４ａに返却指令を送信し、保留されている投入硬貨を硬貨返却口１８に返却して（ステップＳ３１６）、処理を終了する。
【００４９】
一方、予め設定されている決済再処理時間が経過するまでに決済が完了しないと（ステップＳ３０９，Ｙｅｓ）、決済制御部２１は自販機主制御部１０に取引キャンセルを送信する（ステップＳ３１４）。
【００５０】
この取引キャンセルを受信した自販機主制御部１０は、商品選択をキャンセルするとともに（ステップＳ３１５）、硬貨識別装置１４ａに返却指令を送信し、保留されている投入硬貨を自動的に硬貨返却口１８に返却して（ステップＳ３１６）、処理を終了する。
【００５１】
このように、本実施の形態においては、決済未了中に硬貨が硬貨投入口１４に投入された場合には、決済完了後あるいは取引キャンセル後、自動的に硬貨返却口１８に返却することで、利用者の混乱を防ぐものである。
【００５２】
なお、ステップＳ３０５において、決済が中断せずに（ステップＳ３０５，Ｎｏ）、決済が完了すると、通常の記憶媒体４における決済処理となり、決済制御部２１は自販機主制御部１０に決済結果通知を送信する（ステップＳ３１７）。
【００５３】
この決済結果を受信した自販機主制御部１０は、本体制御部２０に選択された商品の搬出指令を送信し、本体制御部２０は搬出装置３０を駆動して商品を商品取出口１９に搬出する（ステップＳ３１８）。
【００５４】
また、予め設定されている決済再処理時間内に返却レバー１７を操作しても無効とし、決済再処理時間経過後は、返却レバー１７の操作を有効とする。
（実施の形態２）
図４のフローチャート図において、利用者が商品選択ボタン１３を操作して商品を選択すると（ステップＳ４０１）、自販機主制御部１０は決済制御部２１に商品選択情報を送信する（ステップＳ４０２）。
【００５５】
次に、アンテナ部２２に記憶媒体４がかざされると（ステップＳ４０３）、記憶媒体４の検出、認証、読込、決済を順次行うが、決済制御部２１は、この決済中であることを示す決済状態を自販機主制御部に送信する（ステップＳ４０４）。
【００５６】
次に、アンテナ部２２に記憶媒体４がかざされたが、決済処理に至ることなく決済が中断すると（ステップＳ４０５，Ｙｅｓ）、決済制御部２１は自販機主制御部１０に決済が未了状態である未了信号を送信する（ステップＳ４０６）。
【００５７】
この決済未了時点で、利用者が硬貨投入口１４に硬貨を投入すると（ステップＳ４０７）、自販機主制御部１０では、記憶媒体４による決済が開始されているため、投入された硬貨を硬貨識別装置１４ａ内に一旦保留する（ステップＳ４０８）。
【００５８】
一方、決済制御部２１は、決済処理に至ることなく決済が中断すると、上記未了信号を送信するとともに、タイマ２１ｃをスタートさせて計時を開始する（ステップＳ４０９）。このタイマ２１ｃによる計時が予め設定されている決済再処理時間が経過するまでは、決済端末２のアンテナ部２２にて記憶媒体４が再度かざされるのを待機している状態となる。
【００５９】
次に、予め設定されている決済再処理時間が経過するまでに記憶媒体４の再かざしによる決済が完了しないと（ステップＳ４０９，Ｙｅｓ）、決済制御部２１は自販機主制御部１０に取引キャンセルを送信する（ステップＳ４１２）。記憶媒体４による取引キャンセルを受信した自販機主制御部１０は、保留されている硬貨にて先に選択されている商品が販売できるかを判断する（ステップＳ４１３）。
【００６０】
すなわち、保留されている硬貨が販売価格以上であれば（ステップＳ４１３，Ｙｅｓ）、自販機主制御部１０は、本体制御部２０に搬出指令を送信し、本体制御部２０は搬出装置３０を駆動して先に選択されている商品を商品取出口１９に搬出するとともに（ステップＳ４１４）、釣銭があれば（ステップＳ４１５，Ｙｅｓ）、硬貨返却口１８に返却して（ステップＳ４１６）、処理を終了する。
【００６１】
一方、保留されている硬貨が販売価格未満である場合には（ステップＳ４１３，Ｎｏ）、硬貨入金待ちとなり（ステップＳ４１７）、この時点で硬貨が硬貨投入口１４に追加投入され、販売価格以上となれば（ステップＳ４１７，Ｙｅｓ）、自販機主制御部１０は、本体制御部２０に搬出指令を送信し、本体制御部２０は搬出装置３０を駆動して先に選択されている商品を商品取出口１９に搬出するとともに（ステップＳ４１４）、釣銭があれば（ステップＳ４１５，Ｙｅｓ）、硬貨返却口１８に返却して（ステップＳ４１６）、処理を終了する。
【００６２】
また、硬貨入金待ちにて（ステップＳ４１７，Ｎｏ）、返却レバー１７が操作されれば（ステップＳ４１８，Ｙｅｓ）、硬貨識別装置１４ａに返却指令を送信し、保留されている投入硬貨を硬貨返却口１８に返却して（ステップＳ４１９）、処理を終了する。
【００６３】
なお、予め設定されている決済再処理時間が経過するまでに（ステップＳ４０９，Ｙｅｓ）、記憶媒体４が再度かざされ（ステップＳ４１０，Ｙｅｓ）、決済処理を再開して決済が完了すると（ステップＳ４１１，Ｙｅｓ）、決済制御部２１は自販機主制御部１０に決済結果通知を送信する（ステップＳ４２０）。
【００６４】
この決済結果通知を受信した自販機主制御部１０は、本体制御部２０に選択された商品の搬出指令を送信し、本体制御部２０は搬出装置３０を駆動して商品を商品取出口１９に搬出するとともに（ステップＳ４２１）、硬貨識別装置１４ａに返却指令を送信し、保留されている投入硬貨を硬貨返却口１８に返却して（ステップＳ４２２）、処理を終了する。
【００６５】
また、ステップＳ４０５において、決済が中断せずに（ステップＳ４０５，Ｎｏ）、決済が完了すると、通常の記憶媒体４における決済処理となり、決済制御部２１は自販機主制御部１０に決済結果通知を送信する（ステップＳ４２３）。
【００６６】
この決済結果を受信した自販機主制御部１０は、本体制御部２０に選択された商品の搬出指令を送信し、本体制御部２０は搬出装置３０を駆動して商品を商品取出口１９に搬出する（ステップＳ４２４）。
【００６７】
さらに、決済未了中に投入された硬貨が、選択されている商品の販売価格以上の金額であったとしても、自動販売機は現金による決済は行われず、現金による決済が行われるのは、決済再処理時間が経過して記憶媒体４との取引キャンセルを自販機主制御部４にて受信した後になる。
【００６８】
このように、実施の形態２では、予め設定されている決済再処理時間が経過して、記憶媒体４との取引がキャンセルとなると、自動販売機では保留されている投入硬貨を利用してそのまま現金販売に移行できるため、購入を優先させる利用者にとっては、記憶媒体４あるいは現金のいずれか一方にて商品を購入できるようになる。
【００６９】
また、予め設定されている決済再処理時間内に返却レバー１７を操作しても無効とし、決済再処理時間経過後は、返却レバー１７の操作を有効とする。
（実施の形態３）
上記実施の形態１，２は、決済未了中に硬貨が投入された場合について説明したが、本実施の形態３では、商品選択後、アンテナ部２２へ記憶媒体４をかざす動作と硬貨投入口１４への硬貨投入とが、ほぼ同時に行われた場合について説明する。
【００７０】
図５のシーケンス図において、利用者が商品選択ボタン１３を操作して商品を選択すると（ＳＱ０１）、自販機主制御部１０は決済制御部２１に商品選択情報を送信する（ＳＱ０２）。
【００７１】
このように、商品先選択が行われると、決済制御部２１に商品選択情報を送信するため、アンテナ部２２は、記憶媒体４がかざされるのを待つ。
【００７２】
この状態で、アンテナ部２２へ記憶媒体４をかざす動作（ＳＱ０３）と硬貨投入口１４への硬貨投入と（ＳＱ０３ａ）がほぼ同時に行われた場合には、自販機主制御部１０は、決済制御部２１から記憶媒体４による決済結果あるいは取引キャンセルの信号を受信するまでは、投入された硬貨を硬貨識別装置１４ａ内に一旦保留する（ＳＱ０４）。
【００７３】
次に、自販機主制御部１０は、決済制御部２１から決済が完了した決済結果あるいは取引キャンセルを受信すると（ＳＱ０５）、自販機主制御部１０は、保留硬貨の自動返却あるいは現金販売モードへ移行する（ＳＱ０６）。
【００７４】
このように、アンテナ部２２へ記憶媒体４をかざす動作と硬貨投入口１４への硬貨投入とがほぼ同時に行われた場合には、投入硬貨は、記憶媒体４による処理が終わるまで硬貨識別装置１４ａに保留され、記憶媒体４における処理を優先することになり、記憶媒体４との処理結果に基づき、保留硬貨の自動返却あるいは現金販売モードへの設定を行える。
【００７５】
なお、商品選択後であれば、硬貨投入口１４への硬貨投入がアンテナ部２２へ記憶媒体４をかざす行為より少し早く行われても、投入硬貨は硬貨識別装置１４ａ内に一旦保留となり、記憶媒体４における処理を優先する。
（変形例）
上記実施の形態１においては、硬貨保留時に記憶媒体４にて決済が完了した場合、保留されている投入硬貨は硬貨返却口１８に自動返却していたが、変形例では、保留されている投入硬貨を返却せずに現金販売モードに移行し、デジタル表示器１６に保留中の硬貨の合計金額を表示させるとともに保留硬貨が商品の販売価格以上である場合には、保留金額にて購入可能な商品選択ボタン１３に内蔵している図示しない販売可能ランプを点灯させて商品選択を促し、また、販売価格未満の場合には、硬貨の追加投入を待つようにして、記憶媒体４および現金の両方にて商品を購入できるようにしてもよい。
【００７６】
なお、この現金販売モードに移行した時点で、返却レバー１７の操作は有効とする。
【００７７】
以上のように、本発明では、保留中の硬貨について、決済完了後あるいは取引キャンセル後にどのような処理を行うかを設定できるようにして、自動販売機の設置先あるいは利用者の利便性を考慮して、上記処理のいずれかを設定して制御することにより利用者の混乱を抑えようとするものである。
【００７８】
また、本発明では、硬貨投入について説明したが、紙幣であっても同様である。
【符号の説明】
【００７９】
１        自動販売機本体
２        決済端末
４        記憶媒体
１３      商品選択ボタン
１４      硬貨投入口
１５      紙幣挿入口
１６      デジタル表示器
１８      硬貨返却口
１９      商品取出口
１０      自販機主制御部
２０      本体制御部
１４ａ    硬貨識別装置
１５ａ    紙幣識別装置
２１      決済制御部
２２      アンテナ部
【図１】
0005696472.tif 000002
【図２】
0005696472.tif 000003
【図３】
0005696472.tif 000004
【図４】
0005696472.tif 000005
【図５】
0005696472.tif 000006